(57)【要約】【課題】  簡易な構造であって安価に製造でき、しかも効率的に籾殻の粉砕を実現できる籾殻破砕装置を提供する。【解決手段】  十文字に配置した４枚刃で形成され所定の高速回転をなす回転刃２２を円形短筒状の破砕室２１の底方に配置し、回転刃中心から偏心した位置に供給口を形成して供給機構部１を連設し、破砕室２１の底面における前記供給口位置から回転刃の回転方向に約２７０度程度ずれた位置に排出口を形成し、更に排出口に連結した排出管３２を、鉛直方向に対して４８〜５２度傾斜させると共に、徐々に内径を拡げ、傾斜状態で強制風送による搬出管３３に連結して、排出管を負圧状態として籾殻切断片の排出をなすようにした。【選択図】  図２
2005161213.tif 000002
【特許請求の範囲】
【請求項１】
十文字に配置した４枚刃で形成され所定の高速回転をなす回転刃を円形短筒状の破砕室の底方に配置し、回転刃中心から偏心した位置に供給口を形成して供給部を連設し、破砕室の底面における前記供給口位置から回転刃の回転方向へ約２７０度程度ずれた位置に排出口を形成してなることを特徴とする籾殻破砕装置。
【請求項２】
排出口に連結した排出管を、鉛直方向に対して４８〜５２度傾斜させると共に、徐々に内径を拡げ、傾斜状態で強制風送による搬出管に連結して、排出管を負圧状態として籾殻切断片の排出をなす排出機構部を備えてなる請求項１記載の籾殻破砕装置。
【請求項３】
供給口に連結する供給部をホッパー部に形成すると共に、ホッパー部と供給口との間に開口調整弁を設けてなる請求項１又は２記載の籾殻破砕装置。
【発明の詳細な説明】
【技術分野】
【０００１】
本発明は籾殻を小さい粒に破砕する破砕装置に関するものである。
【背景技術】
【０００２】
籾殻は畜舎床面の敷料や、キノコ栽培の人口培土、飼料添加物に利用されるが、利用に際して、籾殻を必要とする大きさに切断や破砕しているもので、破砕（粉砕）装置としては、従前より種々提案されている。
【０００３】
破砕装置は、基本的に籾殻供給部、破砕部、排出部で構成され、供給部としてホッパーを有し、更にスクリューコンベアを装備して圧送する機構が採用されている（特許文献１，２）。
【０００４】
また破砕部としては、回転刃が採用されており、２個の破砕（粉砕）室を階段上に設けたり（特許文献２）、固定刃と回転刃の組み合わせを採用したり（特許文献３）、縦長破砕室に多段に回転刃を設けたり（特許文献４）している。
【０００５】
更に切断室からの排出機構は、回転刃と同軸に回転する排出羽根による強制排出方式（特許文献３，５）や、自然落下排出方式（特許文献２）が採用されている。
【０００６】
【特許文献１】特開２００２−８６００５号公報。
【特許文献２】特開２００２−３５８６２号公報。
【特許文献３】特開２０００−１４０６６８号公報。
【特許文献４】特公平０１−３５６９８号公報。
【特許文献５】特公昭５７−２８２９４号公報。
【発明の開示】
【発明が解決しようとする課題】
【０００７】
ところで籾殻を畜舎床面の敷料や、キノコ栽培の人口培土として使用する場合には、籾殻を４〜６分割する程度で良く、微粉末とする必要が無く、破砕装置として粗切断から微粉末まで可能とした汎用性若しくは高機能性は必要としない。しかしながら従前の破砕装置は前記したとおり、籾殻強制供給機構、複雑な破砕機構、強制排出機構などを組み合わせて構成されており、過剰品質とも言える高価格の装置が提供されている。
【０００８】
そこで本発明は、簡易な構造であっても著しく効率的に破砕を実現できる新規な籾殻破砕装置を提案したものである。
【課題を解決するための手段】
【０００９】
本発明に係る籾殻破砕装置は、十文字に配置した４枚刃で形成され所定の高速回転をなす回転刃を円形短筒状の破砕室の底方に配置し、回転刃中心から偏心した位置に供給口を形成して供給部を連設し、破砕室の底面における前記供給口位置から回転刃の回転方向に約２７０度程度ずれた位置に排出口を形成してなることを特徴とするものである。
【００１０】
而して供給口から破砕室に落下した籾殻は、回転刃に切断されると共に、その一部が回転刃自体で跳ね上げられ、また回転刃の下方に落下した切断片は、回転刃の刃風によって巻き上げられ、２〜４回程度切断され乍ら回転刃の回転方向に移動し、排出口に至ると排出口から室外に排出される。
【００１１】
また本発明は、排出口に連結した排出管を、鉛直方向に対して４８〜５２度傾斜させると共に、徐々に内径を拡げ、傾斜状態で強制風送による搬出管に連結し、排出管を負圧状態として籾殻切断片の排出をなす排出機構部を備えてなることを特徴とするものである。
【００１２】
而して搬出管に別置ブロワーから風を送ることで、排出管内空気を切断片共々誘引し、切断片の搬出を行うものである。特に排出管を傾斜させたことで、送風圧力が排出管に加わらずに空気誘引状態となり、更に排出管を徐々に拡幅することで、排出口から排出管内への切断片の導入が効率的に行われるようにしたものである。
【発明の効果】
【００１３】
以上の構成を採用したことによって、畜舎床面の敷料やキノコ栽培の人口培土として使用する籾殻の破砕物を効率的に製出できる装置を簡単な構造で実現できると共に、構造の簡素化によって装置の保守の容易さや、装置自体の低価格化が実現するものである。
【発明を実施するための最良の形態】
【００１４】
次に本発明の実施形態について説明する。実施形態に示した装置は、供給機構部１と破砕機構部２と、排出機構部３とで構成される。
【００１５】
供給機構部１は、ホッパー部（供給部）１１を備え、ホッパー部１１の下端を破砕室２１の上面に設けた供給口１２に連設すると共に、ホッパー部１１と供給口１２との間に開口面積を拡窄できる開口調整弁１３を介装してなる。
【００１６】
前記開口調整弁１３は任意の構造を採用できるものであり、その操作手段も手動であっても自動であっても良い。
【００１７】
破砕機構部２は、円形短筒状の破砕室（φ４５ｃｍ×Ｈ３０ｃｍ）２１の内部底方に十文字に配置した４枚刃で形成された回転刃２２を設けると共に、周壁に開閉扉２３を設けて、回転刃２２を回転軸２４から着脱する操作が開放した開閉扉２３から行うことを可能としているものである。
【００１８】
また回転軸２４は、破砕室外に設置した駆動部（モータ）２５と接続して、回転刃２２を高速回転（６００ｒｐｍ程度）させてなる。
【００１９】
更に破砕室２１の上面には供給口１２を設け、底面には排出口３１を設けているものであるが、特に供給口１２は、回転刃２２の中心（回転軸２４）から偏心した位置に形成したものであり、排出口３１は、前記供給口位置から回転刃２２の回転方向へ約２７０度程度ずれた位置に形成してなる。
【００２０】
排出機構部３は、前記排出口３１に連続した排出管３２と、排出管３２に接続する搬出管３３と、搬出管３３に強風供給するブロアー（図示せず）とで構成されている。
【００２１】
排出管３２は、排出口３１に接続されており、傾斜ラッパ状に形成されている。即ち鉛直方向に対して４８〜５２度傾斜（水平方向から３８〜４２度の立ち上げとなっている）させると共に、徐々に内径を例えばφ７．５〜９．０ｍｍに拡げてなるものである。勿論傾斜ラッパ状部分と排出口３１の間に、鉛直部分を介在させても良い。これは装置の設置箇所の状態で変更できる設計事項である。
【００２２】
更に傾斜状態の排出管３２は、搬出管３３に接続され、搬出管３３には、排出管３２の傾斜方向に対応して傾斜基部側から先部へ強制送風されるようにブロアーを接続し、搬送管３３の先端には適宜な切断片の受け容器（例えば布袋等）や収納室を配置してなるものである。
【００２３】
而してホッパー部（供給部）１１に破砕対象の乾燥した籾殻Ａを投入し、破砕機構部２の回転刃２２を所定の高速回転で駆動させ、供給口１２を開口すると、籾殻Ａは破砕室２１内に落下し、回転刃２２で切断される。この切断と同時に切断片の一部は、回転刃２２自体で跳ね上げられ、また回転刃２２の下方に落下した切断片は、回転刃２２の刃風によって巻き上げられる。即ち破砕室２１内の籾殻は攪拌状態で、回転刃２２によって２〜４回程度切断され、利用に適する大きさにおおまかに切断（破砕）されるものである。
【００２４】
この切断片の大きさは、籾殻供給量（供給口１２の開口程度）と、回転刃２２の回転速度で概ね定まるもので、供給量は、籾殻の破砕室２１の滞留浮遊時間を決定する因子となるし、回転刃回転数は、籾殻滞留時間内での籾殻の切断回数を決定する因子となるもので、回転刃２２の回転を一定にした状態で供給量調整を行い、最適供給量を決定する。
【００２５】
更に供給口１２と排出口３１の位置をずらすことによって、籾殻は切断と同時に回転刃２２の回転力で破砕室２１内の回転方向への攪拌がなされるが、籾殻の連続供給及び連続排出を考慮すると、前記のずれた範囲での移動時間内に籾殻（切断片も含め）の切断が終了するのが理想的である。従って供給口１２と排出口３１のずれに対応して籾殻供給量及び回転刃回転数を調整することで、効率的な連続加工が実現することになる。
【００２６】
そして切断され破砕室２１内の底方に落下した切断片Ｂは、排出口３１から排出管３２に落下していくが、特に搬出管３３に別置ブロワーから風を送ることで、排出管３２内空気が搬出管３３に誘引されることになり、排出管３２内は破砕室２１内より負圧状態となる。
【００２７】
従って破砕室２１内の空気は、排出口３１から搬出管３３に流れ出ることになり、これに伴って切断片Ｂも運ばれることになる。特に排出管３２を傾斜ラッパ状としたことにより、搬送空気の空気流が排出管３２へ逆流することを抑制しているものである。勿論搬送用空気の供給源であるブロアーは、排出管３２内の空気を誘引するに充分な空気流を生ずる能力を備えたものとすることは当然である。
【００２８】
以上の破砕装置は、安価に製造できる非常に簡易な構造であり、しかも籾殻の連続加工が効率的になされるものである。
【００２９】
尚供給部として前記の通りホッパー部１１を採用することで装置のコンパクト化が実現したが、ホッパー部に代えて適宜な籾殻搬送供給機構を採用し、所定量の籾殻連続供給を実現するようにしても良い。
【図面の簡単な説明】
【００３０】
【図１】本発明の全体の構成を示す斜視図。
【図２】同一部切断した正面図。
【図３】同供給口と排出口のずれを示す破砕室の断面図。
【符号の説明】
【００３１】
１        供給機構部
１１      ホッパー部（供給部）
１２      供給口
１３      開口調整弁
２        破砕機構部
２１      破砕室
２２      回転刃
２３      開閉扉
２４      回転軸
２５      駆動部（モータ）
３        排出機構部
３１      排出口
３２      排出管
３３      搬出管
【図１】
2005161213.tif 000003
【図２】
2005161213.tif 000004
【図３】
2005161213.tif 000005